(57)【要約】【課題】人を効果的に店舗に誘導できるようにすることを目的とする。【解決手段】所定の領域内の人の動作を検出する検出部と、前記動作が予め定められた動作条件を満たすか判定する判定部と、前記判定部による判定の結果に応じて、第一の画像出力装置に出力させる第一のコンテンツ及び第二の画像出力装置に出力させる第二のコンテンツを夫々選択する選択部と、選択された前記第一及び第二のコンテンツを前記第一及び第二の画像出力装置に夫々出力させる制御部と、を有し、前記選択部は、前記動作が前記動作条件を満たさない場合に、前記動作条件を満たす動作を示すコンテンツを前記第一のコンテンツとして選択する、画像出力システムを提供する。【選択図】図４
2015106907.tif 000002
【特許請求の範囲】
【請求項１】
所定の領域内の人の動作を検出する検出部と、
前記動作が予め定められた動作条件を満たすか判定する判定部と、
前記判定部による判定の結果に応じて、第一の画像出力装置に出力させる第一のコンテンツ及び第二の画像出力装置に出力させる第二のコンテンツを夫々選択する選択部と、
選択された前記第一及び第二のコンテンツを前記第一及び第二の画像出力装置に夫々出力させる制御部と、
を有し、
前記選択部は、前記動作が前記動作条件を満たさない場合に、前記動作条件を満たす動作を示すコンテンツを前記第一のコンテンツとして選択する、
画像出力システム。
【請求項２】
前記選択部は、前記動作が前記動作条件を満たす場合に、前記動作が前記動作条件を満たさない場合に選択する前記第一及び第二のコンテンツと異なるコンテンツを夫々選択する、
請求項１に記載の画像出力システム。
【請求項３】
前記選択部は、前記動作が前記動作条件を満たす場合に、店内に人を誘導するよう促すコンテンツを、前記第一のコンテンツ及び前記第二のコンテンツとして選択する、
請求項２に記載の画像出力システム。
【請求項４】
前記選択部は、前記動作が前記動作条件を満たす場合に、動作を行った人の属性を反映したコンテンツを、前記第一のコンテンツ及び前記第二のコンテンツとして選択する、
請求項２又は３に記載の画像出力システム。
【請求項５】
前記選択部は、前記判定部による判定の結果に応じて、第三の画像出力装置に出力させる第三のコンテンツをさらに選択する、
請求項１乃至４の何れか一項に記載の画像出力システム。
【請求項６】
前記第三のコンテンツは、前記所定の領域を示すコンテンツを含む、
請求項５に記載の画像出力システム。
【請求項７】
人の接近を検知する検知部
をさらに有し、
前記選択部は、前記検知部による検知の結果に応じて、前記第一のコンテンツを選択する、
請求項１乃至６の何れか一項に記載の画像出力システム。
【請求項８】
前記選択部は、前記検知部が人の接近を検知した場合に、人の動作を促すコンテンツを前記第一のコンテンツとして選択する、
請求項７に記載の画像出力システム。
【請求項９】
所定の領域内の人の動作を検出する検出段階と、
前記動作が予め定められた動作条件を満たすか判定する判定段階と、
前記判定段階における判定の結果に応じて、第一の画像出力装置に出力させる第一のコンテンツ及び第二の画像出力装置に出力させる第二のコンテンツを夫々選択する選択段階と、
選択された前記第一及び第二のコンテンツを前記第一及び第二の画像出力装置に夫々出力させる出力段階と、
を有し、
前記選択段階において、前記動作が前記動作条件を満たさない場合に、前記動作条件を満たす動作を示すコンテンツを前記第一のコンテンツとして選択する、
画像出力方法。
【請求項１０】
コンピュータに、請求項９に記載の画像出力方法を実行させるプログラム。
【発明の詳細な説明】
【技術分野】
【０００１】
本発明は、画像出力システム、画像出力方法及びプログラムに関する。
【背景技術】
【０００２】
人の動作を検知して、その動作に対応した画像を出力するシステムが知られている。例えば、特許文献１には、カメラ、深度センサ、マイク及びプロセッサを内蔵したセンサを用いて、人物の動作を検出し、その動作に応じた内容を画面に出力するシステムを開示している。非特許文献１は、このようなセンサを応用してアプリケーションを開発するためのフレームワークに関する情報を開示している。アプリケーションの開発者は、非特許文献１に記載された情報を用いて、人の動作に応じて、コンテンツを変化させるアプリケーションを作成することができる。
【０００３】
このようなシステムを店舗やショッピングモールに設置し、陳列の効果や買い物客の動線を分析するソリューションが開発されている（非特許文献２）。
【発明の概要】
【発明が解決しようとする課題】
【０００４】
上述したシステムを用いることにより、買い物客の動作を検知して、店舗における売り上げ増を図りたいという要求がある。しかしながら、従来の技術では、店舗内にいる人の動作を検出することはできるが、店舗の外を通行する人の動作を検出し、店舗に効果的に誘導することで、売り上げ増を図ることができなかった。
【０００５】
本発明は、このような問題に鑑みてなされたものであり、人を効果的に店舗に誘導できるようにすることを目的とする。
【課題を解決するための手段】
【０００６】
上述した課題を解決し目的を達成するため、本発明の一実施形態における画像出力システムは、
所定の領域内の人の動作を検出する検出部と、
前記動作が予め定められた動作条件を満たすか判定する判定部と、
前記判定部による判定の結果に応じて、第一の画像出力装置に出力させる第一のコンテンツ及び第二の画像出力装置に出力させる第二のコンテンツを夫々選択する選択部と、
選択された前記第一及び第二のコンテンツを前記第一及び第二の画像出力装置に夫々出力させる制御部と、
を有し、
前記選択部は、前記動作が前記動作条件を満たさない場合に、前記動作条件を満たす動作を示すコンテンツを前記第一のコンテンツとして選択する。
【発明の効果】
【０００７】
本発明の一実施形態により、人を効果的に店舗に誘導できるようになる。
【図面の簡単な説明】
【０００８】
【図１】本発明の概要を説明する図。
【図２】本発明の一実施形態における画像出力システムの外観を示す図。
【図３】本発明の一実施形態における画像出力システムのハードウェア構成例を示す図。
【図４】本発明の一実施形態における画像出力システムの機能ブロック図。
【図５】状態定義情報を格納するテーブルの例を示す図。
【図６】出力画像情報を格納するテーブルの例を示す図。
【図７】本発明の一実施形態における制御装置が管理する状態の遷移を説明する図。
【図８】本発明の一実施形態における画像出力システムの具体的な動作例を示すシーケンス図。
【図９】本発明の一実施形態における画像出力システムの外観を示す図。
【図１０】本発明の一実施形態における画像出力システムの機能ブロック図。
【図１１】属性情報を格納するテーブルの例を示す図。
【図１２】出力画像情報を格納するテーブルの例を示す図。
【図１３】本発明の一実施形態における画像出力システムの具体的な動作例を示すシーケンス図。
【発明を実施するための形態】
【０００９】
以下、本発明の実施形態を図面に基づいて説明する。
【００１０】
１．  システムの概要
２．  ハードウェア構成
３．  機能
４．  動作例
５．  変形例
【００１１】
≪  １．  概要  ≫
図１は、本発明の概要を説明する図である。図１（ａ）−（ｄ）は、本発明の一実施形態における画像出力システム１０が、店舗の近くを通りかかった人の動作を検知し、その動作に応じた画像を出力する処理の流れを示している。図１に示された画像出力システム１０は、図２に例示される外観を有しており、ディスプレイの形状をした画像出力装置２００−１と、プロジェクタの形状をした二つの画像出力装置２００−２、２００−３と、センサ３００とを有する。画像出力システム１０は、センサ３００から得た画像情報を元に、人の存在、位置、動作、性別、衣服の色等を認識し、状況に応じた画像を、各画像出力装置に出力することができる。なお、画像出力装置２００−１、２００−２、２００−３が出力する画像は、それぞれ、表示領域Ａ、Ｂ、Ｃに出力される。また、センサ３００は、例えば、Ｍｉｃｒｏｓｏｆｔ社のＫｉｎｅｃｔ  ｆｏｒ  Ｗｉｎｄｏｗｓ（登録商標）である。
【００１２】
図１（ａ）において、画像出力システム１０は、店舗の近くを通行する人を検出し、人の注意を引きつけるような画像コンテンツを、画像出力装置２００−１（すなわち表示領域Ａ）に出力させる。このとき、画像出力システム１０は、画像出力装置２００−２（すなわち表示領域Ｂ）に、人を誘導するような画像を出力させる。図１（ａ）の例では、画像出力システム１０は、人が何か動作を起こしたがっているような様子を表す動画コンテンツを、画像出力装置２００−１に出力させる。また、画像出力システム１０は、人を画像出力システム１０の近くに誘導する矢印のような画像コンテンツを、画像出力装置２００−２に出力させる。一方、画像出力システム１０は、画像出力装置２００−３（すなわち表示領域Ｃ）には、何も出力させない。
【００１３】
次に、図１（ｂ）において、画像出力システム１０は、接近した人に対して、予め定められた動作を行うよう促すコンテンツを、画像出力装置２００−１に出力させる。図１（ｂ）の例では、画像出力システム１０は、ある一定の高さでジャンプするよう指示する動画コンテンツを、画像出力装置２００−１に出力させている。図１（ｂ）は、人がそのコンテンツを確認し、ジャンプの動作を繰り返す様子を表している。ここで、画像出力システム１０は、人の動作が、予め定められた動作条件を満たすか（例えば、一定の高さ以上ジャンプするか）を行うまで、同様のコンテンツを画像出力装置２００−１に出力させ続ける。
【００１４】
次に、図１（ｃ）において、画像出力システム１０は、人が、動作条件を満たす動作を行ったことを検出すると、動作が成功したことを表すコンテンツを、画像出力装置２００−１、２００−２に出力させる。図１（ｃ）の例では、高く跳躍した人が、表示領域Ｂから表示領域Ｃに飛び移り、そのまま店舗の方向に走り去る様子を表す一連の動画コンテンツを、画像出力装置２００−１、２００−２に出力させる。人は、このコンテンツを見ることにより、店舗内に視線を向け、店舗内の商品に関心を持つ。
【００１５】
さらに、図１（ｄ）において、画像出力システム１０は、さらに、人を店舗に呼び込むためのコンテンツを、画像出力装置２００−１、２００−２に出力させる。図１（ｄ）の例では、画像出力システム１０は、人の衣服の色（横縞で示す）を検知しておき、図１（ｃ）で店舗方向に走り去ったキャラクターが、人と同じ色の服を着て戻ってくる一連の動画コンテンツを、画像出力装置に出力させる。この服は、店舗内で実際に販売されている形状をしている。また、画像出力システム１０は、商品に関する追加情報を表すコンテンツを、画像出力装置２００−１に追加で出力させてもよい。
【００１６】
以上のように、本発明の一実施形態における画像出力システム１０は、店舗の近くを通行する人の注意を引き、その人に対して所定の動作を行わせることにより、店舗への関心をひきつけることができる。通行する人は、ゲーム感覚で、自らの体験と共に、コンテンツの中身を閲覧するため、単に客引きのコンテンツを提示するのに比べて、より深く店舗又は商品に関心を持つようになる。
【００１７】
以下、本発明の一実施形態における画像出力システム１０の詳細を説明する。
【００１８】
≪  ２．  ハードウェア構成  ≫
本発明の一実施形態における画像出力システム１０は、画像出力装置２００−１、２００−２、２００−３と、センサ３００とを制御する、制御装置１００を有する。図２は、本発明の一実施形態における制御装置１００のハードウェア構成例を示す。制御装置１００は、ＣＰＵ１１と、ＲＡＭ１２と、ＲＯＭ１３と、ＨＤＤ１４と、キーボード１５と、マウス１６と、ＮＩＣ（Network Interface Card）１７と、ＧＰＵ１８と、ＵＳＢポート１９とを有する。
【００１９】
ＣＰＵ１１は、制御装置１００の動作制御を行うプログラムを実行する。ＲＡＭ１２は、ＣＰＵ１１のワークエリアを構成する。ＲＯＭ１３は、ＣＰＵ１１が実行するプログラムや、プログラムの実行に必要なデータを記憶する。ＨＤＤ１４は、制御装置１００が出力させるコンテンツ等を格納する。ＨＤＤ１４は、磁気ディスクや、ソリッドステートディスクであってもよい。
【００２０】
キーボード１５及びマウス１６は、制御装置１００の管理者等からの入力を受け付ける装置である。ＮＩＣ１７は、例えばイーサネット（登録商標）によるＬＡＮと接続するための通信インターフェースである。ＧＰＵ１８は、画像処理を実行する処理装置であり、画像出力装置２００−１、２００−２、２００−３に画像を出力する外部接続端子を有する。ＧＰＵ１８は、画像出力装置ごとに、複数設けられてもよい。ＵＳＢポート１９は、Ｋｉｎｅｃｔ  ｆｏｒ  Ｗｉｎｄｏｗｓのようなセンサと接続するための外部接続端子である。バス２０は、上記の各装置を相互に接続する。
【００２１】
なお、図３の例では、制御装置１００と各画像出力装置とが、ＧＰＵ１８のみを用いて接続されているが、この例に限られず、例えば、任意の画像出力装置が、ＮＩＣ１７等を通じて、ネットワークを介して接続されてもよい。また、同様に、センサ３００は、ＵＳＢポート１９を用いて接続される代わりに、他の規格の外部接続端子を通じて、接続されても良い。
【００２２】
また、図３の例では、制御装置１００は、単一のコンピュータによって構成されているが、複数のコンピュータにまたがって構成されてもよい。また、そのような複数のコンピュータのそれぞれが、図３に示された装置の一部を有し、全体として、図３に示した装置を実現するよう構成されてもよい。
【００２３】
≪  ３．  機能  ≫
図４は、本発明の一実施形態における制御装置１００の機能ブロック図である。制御装置１００は、記憶部１０１と、検知部１０２と、動作検出部１０３と、動作判定部１０４と、コンテンツ選択部１０５と、出力制御部１０６と、出力部１０７とを有する。
【００２４】
記憶部１０１は、図３に示されるＲＯＭ１３又はＨＤＤ１４によって実現され、制御装置１００で実行されるプログラムが必要とするデータを記憶する。記憶部１０１は、状態定義情報１５１と、出力画像情報１５２を含む。
【００２５】
状態定義情報１５１は、人に提示するコンテンツを切り替えるために用いる内部的なパラメータである状態を定義する。状態定義情報１５１は、例えば、図５に例示されるテーブルにより、状態ごとに付されたＩＤである状態ＩＤと、状態に付された状態名と、その説明とを関連付けて格納する。本実施形態では、以下の６つの状態を定義している。
−非検知    ：人を検知していない状態
−検知      ：人を検知した状態
−滞在      ：所定領域内に滞在する人を検知した状態
−動作検出  ：所定領域内の人がコンテンツで指示した規定動作を行った後の状態
−接近／滞在：「動作検出」状態の後、人の接近又は所定領域内でのさらなる滞在を検出した状態
−離脱      ：所定領域内からの人の離脱を検知した状態
制御装置１００は、例えば、センサ３００を通じて取得した画像データを元に、人の位置や動作を検知し、上記の状態を遷移させ、対応するコンテンツを出力させる。
【００２６】
出力画像情報１５２は、各状態ごとに、画像出力装置２００−１、２００−２、２００−３に出力させるコンテンツを定義する。出力画像情報１５２は、例えば、図６（ａ）−（ｆ）に例示されるテーブルにより、状態ごとに設けられ得る。出力画像情報１５２は、出力させる画像出力装置を特定するための出力先ＩＤと、出力する画像コンテンツを特定する出力画像ＩＤの項目を有する。本実施例では、出力先ＩＤの「１」は、画像出力装置２００−１に対応し、出力先ＩＤ「２」は、画像出力装置２００−２に対応し、出力先ＩＤ「３」は、画像出力装置２００−３に対応する。
【００２７】
図６（ａ）は、「非検知」状態において、画像出力システム１０が、各画像出力装置に出力させるコンテンツの出力画像ＩＤを定義する。この場合のコンテンツの具体例を以下に示す。
−ｉｎｆｏ            ：商品紹介、カタログ、価格表のような情報を含むコンテンツ
−ｂａｃｋｇｒｏｕｎｄ：景色や模様等の背景画像のようなコンテンツ
−ａｒｒｏｗ          ：所定領域の方向を示すコンテンツ
図６（ｂ）は、「検知」状態において、画像出力システム１０が、各画像出力装置に出力させるコンテンツの出力画像ＩＤを定義する。この場合のコンテンツの具体例を以下に示す。
−ｓｔａｎｄ−ｂｙ    ：キャラクターが何か動作を起こしたがっている様子を示すコンテンツ
−ｂａｃｋｇｒｏｕｎｄ：景色や模様等の背景画像のようなコンテンツ
−ａｒｒｏｗ          ：所定領域の方向を示すコンテンツ
図６（ｃ）は、「滞在」状態において、画像出力システム１０が、各画像出力装置に出力させるコンテンツの出力画像ＩＤを定義する。この場合のコンテンツの具体例を以下に示す。
−ｇｕｉｄａｎｃｅ    ：規定の動作を行うよう指示するコンテンツ
−ｂａｃｋｇｒｏｕｎｄ：景色や模様等の背景画像のようなコンテンツ
−ｃｉｒｃｌｅ１      ：所定領域を示すコンテンツ
図６（ｄ）は、「動作検出」状態において、画像出力システム１０が、各画像出力装置に出力させるコンテンツの出力画像ＩＤを定義する。この場合のコンテンツの具体例を以下に示す。
−ｓｕｃｃｅｓｓ１：動作条件を達成したことを祝福するとともに、人が店舗に関心をもつように、キャラクターを画像出力装置２００−１の表示領域外に移動させるようなコンテンツ
−ｓｕｃｃｅｓｓ２：ｓｕｃｃｅｓｓ１のコンテンツと連携し、ｓｕｃｃｅｓｓ１で表示領域外に移動したキャラクターが、画像出力装置２００−２に現れ、さらに店舗方向に向かって、表示領域外に移動するようなコンテンツ
−ｃｉｒｃｌｅ２  ：動作条件を達成したことを祝福するため、ｃｉｒｃｌｅ１とは異なる演出を行うコンテンツ
図６（ｅ）は、「接近／滞在」状態において、画像出力システム１０が、各画像出力装置に出力させるコンテンツの出力画像ＩＤを定義する。この場合のコンテンツの具体例を以下に示す。
−ｗｅｌｃｐｍｅ１：ｓｕｃｃｅｓｓ１、ｓｕｃｃｅｓｓ２のコンテンツを通じて表示領域外に消えたキャラクターが、再び店舗方向から現れ、画像出力装置２００−１の方向に向かって、画像出力装置２００−２の表示領域外へ移動してゆくようなコンテンツ
−ｗｅｌｃｏｍｅ２：ｗｅｌｃｏｍｅ１のコンテンツと連携し、ｗｅｌｃｏｍｅ１で表示領域外に移動したキャラクターが、画像出力装置２００−１に現れるとともに、おすすめ商品や売れ筋商品等の紹介を行うコンテンツ
−ｃｉｒｃｌｅ２  ：動作条件を達成したことを祝福するため、ｃｉｒｃｌｅ１とは異なる演出を行うコンテンツ
図６（ｆ）は、「離脱」状態において、画像出力システム１０が、各画像出力装置に出力させるコンテンツの出力画像ＩＤを定義する。この場合のコンテンツの具体例を以下に示す。
−ｓｅｅｙｏｕ        ：感謝の意を示すコンテンツ
−ｂａｃｋｇｒｏｕｎｄ：景色や模様等の背景画像のようなコンテンツ
−ａｒｒｏｗ          ：所定領域の方向を示すコンテンツ
出力画像ＩＤは、予め、記憶部１０１又は外部に保存された出力画像ファイル（例えば、ｊｐｅｇやｇｉｆ形式の画像ファイル、又は、ｓｗｆやａｖｉ形式等の動画ファイル）と関連付けられてもよい。また、出力画像ＩＤは、制御装置１００が、Ｏｐｅｎ  ＧＬのような描画手段により、動的に生成して出力する、一連の動画像コンテンツと関連付けられてもよい。
【００２８】
検知部１０２は、図３に示されるＣＰＵ１１及びセンサ３００の処理によって実現され、センサ３００が取得した画像情報を取得し、画像出力システム１０の近くを通行する人の接近を検知することができる。また、検知部１０２は、所定領域内における一定時間以上の人の滞在、及び、所定領域からの人の離脱を検知することができる。ここで、所定領域とは、人に対して規定の動作を行わせるための領域であり、例えば、画像出力装置２００−１がコンテンツを出力する範囲と一致する。さらに、検知部１０２は、所定の領域内での人の接近や、後述する規定の動作後の一定時間以上の人の滞在を検知することができる。検知部１０２は、検知した内容を、コンテンツ選択部１０５に通知する。
【００２９】
動作検出部１０３は、図３に示されるＣＰＵ１１及びセンサ３００の処理によって実現され、センサ３００が取得した画像データに基づき、所定の領域内での人の動作を検出する。動作検出部１０３は、人の動作を表すデータを、動作判定部１０４に渡す。
【００３０】
動作判定部１０４は、図３に示されるＣＰＵ１１の処理によって実現され、動作検出部１０３が検出した動作が、予め規定された動作条件を満たすか判定する。例えば、予め規定された動作条件が、ジャンプの高さに関するものである場合、動作判定部１０４は、動作検出部１０３が検出した人の「ジャンプ」動作の高さが、規定の高さ以上であるかどうかを判定する。動作判定部１０４は、他にも、人の動作の激しさ（体の特定部分の時間当たりの移動量）や、回転量（時間当たりに顔が前方を向く回数）、しゃがんだ回数（顔の位置の高さの変化の回数）により、人の動作が条件を満たすか判定することができる。動作判定部１０４は、動作検出部１０３が検出した人の動作が動作条件を満たしているか否かを、コンテンツ選択部１０５に通知する。
【００３１】
コンテンツ選択部１０５は、図３に示されるＣＰＵ１１の処理によって実現され、検知部１０２又は動作判定部１０４から受け取った通知の内容に応じて状態を管理し、その状態に応じて、出力すべきコンテンツを選択する。コンテンツ選択部１０５は、検知部１０２又は動作判定部１０４からの通知に基づき、図５に例示されるテーブルによって定義される状態を管理する。そして、コンテンツ選択部１０５は、図６に例示されるテーブルを参照し、状態に応じて、各画像出力装置に出力させるコンテンツを選択する。そして、コンテンツ選択部１０５は、選択したコンテンツを各画像出力装置に出力するよう、出力制御部１０６に指示する。
【００３２】
図７を用いて、コンテンツ選択部１０５が管理する状態の遷移を説明する。まず初めに、コンテンツ選択部１０５は、状態を「非検知」状態（Ｓ１）とする。非検知状態において、コンテンツ選択部１０５は、図６（ａ）に定義される画像出力ＩＤを有するコンテンツを選択する。
【００３３】
次に、コンテンツ選択部１０５は、検知部１０２から、人の接近を検知した旨の通知を受け取ると、状態を「検知」状態（Ｓ２）とする。検知状態において、コンテンツ選択部１０５は、図６（ｂ）に定義される画像出力ＩＤを有するコンテンツを選択する。
【００３４】
次に、コンテンツ選択部１０５は、検知部１０２から、所定領域内における人の滞在を検知した旨の通知を受け取ると、状態を「滞在」状態（Ｓ３）とする。検知状態において、コンテンツ選択部１０５は、図６（ｃ）に定義される画像出力ＩＤを有するコンテンツを選択する。また、コンテンツ選択部１０５は、動作判定部１０４から、人の動作が動作条件を満たしていない旨の通知を受け取ると、図６（ｃ）に定義される画像出力ＩＤを有するコンテンツを選択する。
【００３５】
次に、コンテンツ選択部１０５は、動作判定部１０４から、人の動作が動作条件を満たしている旨の通知を受け取ると、状態を「動作検出」状態（Ｓ４）とする。動作検出状態において、コンテンツ選択部１０５は、図６（ｄ）に定義される画像出力ＩＤを有するコンテンツを選択する。
【００３６】
次に、コンテンツ選択部１０５は、検知部１０２から、動作条件を満たした動作後の人の滞在を検知した旨の通知を受け取ると、状態を「接近／滞在」状態（Ｓ５）とする。接近／滞在状態において、コンテンツ選択部１０５は、図６（ｅ）に定義される画像出力ＩＤを有するコンテンツを選択する。
【００３７】
そして、コンテンツ選択部１０５は、接近／滞在状態の後、一定時間が経過すると、「非検知」状態へと戻る。一方、コンテンツ選択部１０５は、検知状態、滞在状態、動作検出状態において、検知部１０２から、所定領域からの人の離脱の通知を受け取ると、状態を「離脱」状態（Ｓ６）とする。離脱状態において、コンテンツ選択部１０５は、図６（ｆ）に定義される画像出力ＩＤを有するコンテンツを選択する。そして、コンテンツ選択部１０５は、離脱状態となった後に、一定時間経過後、「非検知」状態へと戻る。
【００３８】
出力制御部１０６は、図３に示されるＣＰＵ１１の処理によって実現され、コンテンツ選択部１０５の指示に応じて、コンテンツが画像出力装置２００−１、２００−２、２００−３でそれぞれ出力されるよう、出力部１０７を制御する。
【００３９】
出力部１０７は、図３に示されるＧＰＵ１８の処理によって実現され、各コンテンツを各画像出力装置に出力する。
【００４０】
≪  ４．  動作例  ≫
図８を用いて、本発明の一実施形態における画像出力システム１０の具体的な動作例を説明する。本実施形態における画像出力システム１０は、通行している人に対して、キャラクターがジャンプする様子を提示することにより、ゲーム感覚で、実際にジャンプすることを促す。そして、ジャンプの高さが一定の高さに到達していた場合に、キャラクターが店舗内に走り去り、戻ってくるというパフォーマンスを行い、人の店舗への関心を高め、入店を促す。
【００４１】
まず、制御装置１００のコンテンツ選択部１０５は、状態が初期状態である「非検出」状態であることから、図６（ａ）に示される三つのコンテンツ「ｉｎｆｏ」、「ｂａｃｋｇｒｏｕｎｄ」、「ａｒｒｏｗ」を選択する（ステップＳ２０１）。次いで、コンテンツ選択部１０５は、選択した三つのコンテンツを、各画像出力装置に出力するよう、出力制御部１０６に指示する（ステップＳ２０２）。出力制御部１０６は、三つのコンテンツが、それぞれ、画像出力装置２００−１、２００−２、２００−３から出力されるよう、出力部１０７を制御する（ステップＳ２０３）。出力部１０７は、画像出力装置２００−１に、コンテンツ「ｉｎｆｏ」を出力する（ステップＳ２０４）。「ｉｎｆｏ」は、商品紹介、カタログ、価格表のような情報を含むコンテンツである。また、出力部１０７は、画像出力装置２００−２に、コンテンツ「ｂａｃｋｇｒｏｕｎｄ」を出力する（ステップＳ２０５）。「ｂａｃｋｇｒｏｕｎｄ」は、景色や模様等の背景画像のようなコンテンツである。また、出力部１０７は、画像出力装置２００−３に、コンテンツ「ａｒｒｏｗ」を出力する（ステップＳ２０６）。「ａｒｒｏｗ」は、所定領域の方向を示すコンテンツである。なお、ステップＳ２０４−Ｓ２０６は、実質的に同時に実行される。これにより、通行する人は、遠方より、何らかの商品情報が出力されていることを視認することができる。
【００４２】
ここで、店舗の近くを通行していた人が、画像出力システム１０に接近したものとする。センサ３００は、取得した画像情報を、制御装置１００の検知部１０２に渡す（ステップＳ２０７）。検知部１０２は、受け取った画像情報から、人の接近を検知する（ステップＳ２０８）。そして、検知部１０２は、人の接近を検知した旨を、コンテンツ選択部１０５に通知する（ステップＳ２０９）。
【００４３】
制御装置１００のコンテンツ選択部１０５は、ステップＳ２０９の通知を受け、状態を「検知」状態とし、図６（ｂ）に示される三つのコンテンツ「ｓｔａｎｄ−ｂｙ」、「ｂａｃｋｇｒｏｕｎｄ」、「ａｒｒｏｗ」を選択する（ステップＳ２１０）。「ｓｔａｎｄ−ｂｙ」は、キャラクターが何か動作を起こしたがっている様子を示すコンテンツである。その後、出力部１０７を通じて、選択したコンテンツを各画像出力装置に出力するステップＳ２１１−Ｓ２１５は、上述したステップＳ２０２−Ｓ２０６と同様である。これにより、通行する人は、キャラクターが、何らかの動作をしたがっている（人に、何らかの動作をさせたがっている）ことを認識することができる。
【００４４】
ここで、人が、所定領域内に一定時間以上滞在したものとする。センサ３００は、取得した一連の画像情報を、制御装置１００の検知部１０２に渡す（ステップＳ２１６）。検知部１０２は、受け取った画像情報から、人の所定領域内の滞在を検知する（ステップＳ２１７）。そして、検知部１０２は、人の所定領域内の滞在を検知した旨を、コンテンツ選択部１０５に通知する（ステップＳ２１８）。
【００４５】
制御装置１００のコンテンツ選択部１０５は、ステップＳ２１８の通知を受け、状態を「滞在」状態とし、図６（ｃ）に示される三つのコンテンツ「ｇｕｉｄａｎｃｅ」、「ｂａｃｋｇｒｏｕｎｄ」、「ｃｉｒｃｌｅ１」を選択する（ステップＳ２１９）。「ｇｕｉｄａｎｃｅ」は、規定の動作を行うよう指示するコンテンツであり、ここでは、キャラクターがジャンプを繰り返し、その動作を人にもするよう促すコンテンツである。また、「ｃｉｒｃｌｅ」は、人が動作をするための所定領域をスポットライト風に示すコンテンツである。その後、出力部１０７を通じて、選択したコンテンツを各画像出力装置に出力するステップＳ２２０−Ｓ２２４は、上述したステップＳ２０２−Ｓ２０６、Ｓ２１１−Ｓ２１５と同様である。
【００４６】
ここで、人が、出力されたコンテンツ「ｇｕｉｄａｎｃｅ」に従って、一定領域内でジャンプの動作を行ったものとする（但し、動作条件である、一定の高さには到達せず）。センサ３００は、取得した一連の画像情報を、制御装置１００の動作検出部１０３に渡す（ステップＳ２２５）。動作検出部１０３は、受け取った画像情報から、人の所定領域内の動作を検出する（ステップＳ２２６）。そして、動作検出部１０３は、動作を検出した旨を、動作判定部１０４に通知する（ステップＳ２２７）。動作判定部１０４は、動作検出部１０３が検出した動作が、動作条件を満たすか判定する（ステップＳ２２８）。ここでは、動作判定部１０４は、動作が動作条件を満たさないと判定する。そして、動作判定部１０４は、その旨を、コンテンツ選択部１０５に通知する（ステップＳ２２９）。
【００４７】
制御装置１００のコンテンツ選択部１０５は、ステップＳ２２９の通知を受け、再度、図６（ｃ）に示される三つのコンテンツ「ｇｕｉｄａｎｃｅ」、「ｂａｃｋｇｒｏｕｎｄ」、「ｃｉｒｃｌｅ１」を選択する（ステップＳ２３０）。その後、出力部１０７を通じて、選択したコンテンツを各画像出力装置に出力するステップＳ２３１−Ｓ２３５は、上述したステップＳ２０２−Ｓ２０６、Ｓ２１１−Ｓ２１５等と同様である。
【００４８】
その後、人が、出力されたコンテンツ「ｇｕｉｄａｎｃｅ」に従って、一定領域内でさらにジャンプの動作を行い、動作条件である、一定の高さに到達したものとする。センサ３００は、取得した一連の画像情報を、制御装置１００の動作検出部１０３に渡す（ステップＳ２３６）。動作検出部１０３は、受け取った画像情報から、人の所定領域内の動作を検出する（ステップＳ２３７）。そして、動作検出部１０３は、動作を検出した旨を、動作判定部１０４に通知する（ステップＳ２３８）。動作判定部１０４は、動作検出部１０３が検出した動作が、動作条件を満たすか判定する（ステップＳ２３９）。ここでは、動作判定部１０４は、動作が動作条件を満たすと判定する。そして、動作判定部１０４は、その旨を、コンテンツ選択部１０５に通知する（ステップＳ２４０）。
【００４９】
制御装置１００のコンテンツ選択部１０５は、ステップＳ２４０の通知を受け、状態を「動作検出」状態とし、再度、図６（ｄ）に示される三つのコンテンツ「ｓｕｃｃｅｓｓ１」、「ｓｕｃｃｅｓｓ２」、「ｃｉｒｃｌｅ２」を選択する（ステップＳ２４１）。「ｓｕｃｃｅｓｓ１」は、動作条件を達成したことを祝福するとともに、人が店舗に関心をもつように、キャラクターが店舗の方向に向かって、画像出力装置２００−１の表示領域外に走ってゆく演出のコンテンツである。また、「ｓｕｃｃｅｓｓ２」は、「ｓｕｃｃｅｓｓ１」と連動するコンテンツであり、ｓｕｃｃｅｓｓ１で表示領域外に移動したキャラクターが、画像出力装置２００−２に現れ、さらに店舗方向に向かって、表示領域外に走っていく演出のコンテンツである。「ｃｉｒｃｌｅ２」は、動作条件を達成したことを祝福するため、人の足元のスポットライトの演出を盛り上げるコンテンツである。その後、出力部１０７を通じて、選択したコンテンツを各画像出力装置に出力するステップＳ２４２−Ｓ２４６は、上述したステップＳ２０２−Ｓ２０６、Ｓ２１１−Ｓ２１５等と同様である。なお、二つのコンテンツの出力を連動させるために、出力制御部１０６は、まず「ｓｕｃｃｅｓｓ１」を、画像出力装置２００−１に出力させた後に、「ｓｕｃｃｅｓｓ２」を、画像出力装置２００−２に出力させても良い。
【００５０】
その後、人が、さらに画像出力システム１０に接近したとする。センサ３００は、取得した一連の画像情報を、制御装置１００の動作検出部１０３に渡す（ステップＳ２４７）。検知部１０２は、受け取った画像情報から、人の接近を検知する（ステップＳ２４８）。そして、検知部１０２は、人の接近を検知した旨を、コンテンツ選択部１０５に通知する（ステップＳ２４９）。
【００５１】
制御装置１００のコンテンツ選択部１０５は、ステップＳ２４９の通知を受け、状態を「接近／滞在」状態とし、図６（ｅ）に示される三つのコンテンツ「ｗｅｌｃｏｍｅ２」、「ｗｅｌｃｏｍｅ１」、「ｃｉｒｃｌｅ２」を選択する（ステップＳ２５０）。「ｗｅｌｃｏｍｅ１」は、表示領域外に消えたキャラクターが、再び店舗方向から現れ、画像出力装置２００−１の方向（すなわち、人の方向）に向かって、画像出力装置２００−２の表示領域外へ走っていく演出のコンテンツである。また、「ｗｅｌｃｏｍｅ２」は、「ｗｅｌｃｏｍｅ１」と連動するコンテンツであり、ｗｅｌｃｏｍｅ１で表示領域外に移動したキャラクターが、画像出力装置２００−１に現れるとともに、おすすめ商品や売れ筋商品等の紹介を行うコンテンツである。その後、出力部１０７を通じて、選択したコンテンツを各画像出力装置に出力するステップＳ２５１−Ｓ２５５は、上述したステップＳ２０２−Ｓ２０６、Ｓ２１１−Ｓ２１５等と同様である。なお、二つのコンテンツの出力を連動させるために、出力制御部１０６は、まず「ｗｅｌｃｏｍｅ１」を、画像出力装置２００−２に出力させた後に、「ｗｅｌｃｏｍｅ２」を、画像出力装置２００−１に出力させても良い。
【００５２】
以上の動作により、本実施形態における画像出力システム１０は、通行する人の注意を引き、さらに、ゲーム感覚で、コンテンツによる実体験を行わせることにより、人の店舗への関心を高めることができる。さらに、画像出力システム１０は、ゲームでの目標の達成とともに、特別な演出を提示することにより、人の関心をよりひきつけることが可能となる。
【００５３】
≪  ５．  変形例  ≫
図９−図１３を用いて、本発明の他の実施形態における画像出力システム１０ａを説明する。図９は、本実施形態における画像出力システム１０ａの外観を示している。画像出力システム１０ａは、図２を用いて説明した画像出力システム１０と異なり、画像出力装置２００−３を有していない。また、画像出力システム１０ａは、通行する人の存否や接近／離脱だけでなく、人の性別や衣服の色を検知することができる。
【００５４】
図１０は、画像出力システム１０ａを構成する制御装置１００ａの機能ブロック図である。図４で示した制御装置１００と異なり、センサ３００から取得した画像情報に基づき、人の性別や衣服の色（属性）を検知可能な検知部１０２ａと、属性に応じてコンテンツを選択するコンテンツ選択部１０５ａを有する。また、記憶部１０１には、属性を定義する属性情報１５３と、属性ごとに出力させるコンテンツを選択できるようにした出力画像情報１５２ａとを記憶する。
【００５５】
図１１は、属性情報１５３を格納するテーブルの例を表す。図１１は、属性を特定するための属性ＩＤと、人の性別及び衣服の色とを関連付ける。すなわち、検知部１０２ａの検知した人の属性に応じて、属性ＩＤが特定される。例えば、検知部１０２ａが、人を「女性」であり、衣服の色を「黒」と検知した場合には、属性ＩＤは「ｆｂ」となる。
【００５６】
図１２は、図６を用いて説明した出力画像情報１５２のうち、本実施形態において「接近／滞在」状態に用いられる、出力画像情報１５２−５ａを格納するテーブルである。図１２に例示されるテーブルは、図６（ｅ）に例示されるテーブルと比べて、新たに「属性ＩＤ」の項目を有する。本実施形態におけるコンテンツ選択部１０５ａは、「接近／滞在」状態において（すなわち、動作条件が満たされた場合）、「属性ＩＤ」に応じて出力画像ＩＤを選択する。
【００５７】
図１２の例では、同じ画像出力装置に対して、図１１で定義された属性ＩＤごとに、異なる複数の出力画像ＩＤが関連付けられている。ここで、「ｗｅｌｃｏｍｅ１＿ｍｂ」及び「ｗｅｌｃｏｍｅ２＿ｍｂ」は、黒い服の男性向けに用意されたコンテンツである。同様に、「ｗｅｌｃｏｍｅ１＿ｍｗ」及び「ｗｅｌｃｏｍｅ２＿ｍｗ」は、白い服の男性向けに、「ｗｅｌｃｏｍｅ１＿ｆｂ」及び「ｗｅｌｃｏｍｅ２＿ｆｂ」は、黒い服の女性向けに用意されたコンテンツである。なお、本実施形態において、画像出力装置２００−３が備えられていないことから、出力画像情報は、出力先ＩＤ「１」と「２」に対してのみ出力画像ＩＤが関連付けられる。
【００５８】
図１３は、本実施形態における画像出力システム１０ａの具体的な動作例を表す。人による動作の順序や、出力されるコンテンツは、動作条件が満たされた場合を除いて、図８を用いて説明した動作例と同様である。但し、画像出力システム１０ａは、画像出力装置２００−１、２００−２に対してのみ、コンテンツを出力する。また、ここでは、通行する人が、女性であり、黒い衣服を纏っているものとする。
【００５９】
まず、初期状態から、「非検知」状態におけるコンテンツを選択して出力する、ステップＳ３０１−Ｓ３０５は、図８のステップＳ２０１−Ｓ２０５と同様である。ただし、ここでは、コンテンツ選択部１０５ａは、出力先ＩＤが「１」と「２」の出力画像ＩＤと対応するコンテンツを選択する。
【００６０】
次いで、図８の例と同様に、店舗の近くを通行していた人が、画像出力システム１０ａに接近したものとする。センサ３００は、取得した画像情報を、制御装置１００の検知部１０２ａに渡す（ステップＳ３０６）。検知部１０２ａは、受け取った画像情報から、人の接近を検知する（ステップＳ３０７）。さらに、検知部１０２ａは、受け取った画像情報から、人の性別「女性」と、衣服の色「黒」とを検知し、図１１に示される属性情報に基づいて、人の属性を表す属性ＩＤ「ｆｂ」を特定する（ステップＳ３０８）。そして、検知部１０２ａは、人の接近を検知した旨と、特定した属性ＩＤとを、コンテンツ選択部１０５ａに通知する（ステップＳ３０９）。その後、コンテンツ選択部１０５ａは、図８のステップＳ２１０−Ｓ２１４と同様に、状態を「検知」状態とし、図６（ｂ）に示される、出力先ＩＤ「１」と「２」の出力画像ＩＤのコンテンツを選択する。そして、出力部１０７がこれらのコンテンツを出力する（ステップＳ３１０−Ｓ３１４）。
【００６１】
その後、図８のステップＳ２１６−Ｓ２２３と同様に、人が、所定領域内に一定時間以上滞在すると、コンテンツ選択部１０５ａは、状態を「滞在」状態とし、所定のコンテンツを選択して、出力部１０７に出力させる（ステップＳ３１５−Ｓ３２２）。さらに、図８のステップＳ２２５−Ｓ２３４と同様に、人が、動作条件を満たさない動作を行った場合には、再度同じコンテンツを出力部１０７に出力させる（ステップＳ３２３−Ｓ３３２）。
【００６２】
さらに、図８のステップＳ２２５−Ｓ２３４と同様に、人が、動作条件を満たす動作を行った場合には、コンテンツ選択部１０５ａは、状態を「動作検出」状態とし、所定のコンテンツを選択して、出力部１０７に出力させる（ステップＳ３３３−Ｓ３４２）。
【００６３】
そして、図８のステップＳ２４７−Ｓ２４９と同様に、人が、さらに画像出力システム１０に接近したとすると、検知部１０２ａは、その旨をコンテンツ選択部１０５ａに通知する（ステップＳ３４３−Ｓ３４５）。次に、コンテンツ選択部１０５ａは、ステップＳ３４５の通知を受け、状態を「接近／滞在」状態とする。そして、ステップＳ３０９で受け取った属性ＩＤ「ｆｂ」に基づき、図１２に示される二つのコンテンツ「ｗｅｌｃｏｍｅ２＿ｆｂ」、「ｗｅｌｃｏｍｅ１＿ｆｂ」を選択する（ステップＳ３４６）。「ｗｅｌｃｏｍｅ１＿ｆｂ」は、表示領域外に消えたキャラクターが、再び店舗方向から現れ、女性向けの黒い服を着て、画像出力装置２００−１の方向（すなわち、人の方向）に向かって、画像出力装置２００−２の表示領域外へ走っていく演出のコンテンツである。また、「ｗｅｌｃｏｍｅ２＿ｆｂ」は、「ｗｅｌｃｏｍｅ１」と連動するコンテンツであり、ｗｅｌｃｏｍｅ１で表示領域外に移動したキャラクターが、画像出力装置２００−１に現れるとともに、おすすめ商品や売れ筋商品等の紹介を行うコンテンツである。なお、キャラクターが身にまとっている黒い服は、店舗で取り扱っている商品であってもよい。その後、出力部１０７を通じて、選択したコンテンツを各画像出力装置に出力するステップＳ３４７−３５０は、図８のステップＳ２５１−Ｓ２５４と同様である。
【００６４】
以上の動作により、本実施形態における画像出力システム１０ａは、人の属性に合ったコンテンツを提示することにより、より店舗や商品に対する人の関心を惹くことができる。
【００６５】
なお、上述した変形例では、画像出力装置が二つである場合の例を用いたが、画像出力装置が三つであってもよい。
【符号の説明】
【００６６】
１０、１０ａ  画像出力システム
１００、１００ａ  制御装置
１０１  記憶部
１０２、１０２ａ  検知部
１０３  動作検出部
１０４  動作判定部
１０５  コンテンツ選択部
１０６  出力制御部
１０７  出力部
【先行技術文献】
【特許文献】
【００６７】
【特許文献１】米国特許出願公開第２０１０／０１９９２２８号明細書
【非特許文献】
【００６８】
【非特許文献１】"ＫＩＮＥＣＴ  ｆｏｒ  Ｗｉｎｄｏｗｓ"、[online]、インターネット<URL: http://www.microsoft.com/en-us/kinectforwindows/develop/>
【非特許文献２】"ｓｈｏｐｐｅｒｃｅｐｔｉｏｎ"、[online]、インターネット<URL: http://www.shopperception.com/>
【図１】
2015106907.tif 000003
【図２】
2015106907.tif 000004
【図３】
2015106907.tif 000005
【図４】
2015106907.tif 000006
【図５】
2015106907.tif 000007
【図６】
2015106907.tif 000008
【図７】
2015106907.tif 000009
【図８】
2015106907.tif 000010
【図９】
2015106907.tif 000011
【図１０】
2015106907.tif 000012
【図１１】
2015106907.tif 000013
【図１２】
2015106907.tif 000014
【図１３】
2015106907.tif 000015